【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
医療用アイソトープを産生するように動作可能なハイブリッド反応器であって、
ガスからイオンビームを産生するように動作可能なイオン源と、
中性子を産生するように該イオンビームと相互作用するターゲットを含む、ターゲットチャンバと、
該ターゲットチャンバに近接して位置付けられ、核分裂反応を介して該医療用アイソトープを産生するように該中性子と相互作用する母材を含む、放射化セルと
を備える、ハイブリッド反応器。
【請求項２】
ＲＦ共鳴は、前記イオンビームを産生するために使用される、請求項１に記載のハイブリッド反応器。
【請求項３】
前記イオン源と前記ターゲットチャンバとの間に位置付けられ、前記イオンビームの前記イオンを加速するように動作可能である、加速器をさらに備える、請求項１に記載のハイブリッド反応器。
【請求項４】
前記ガスは、ジュウテリウムおよびトリチウムのうちの一方を含み、前記ターゲットは、ジュウテリウムおよびトリチウムのうちの他方を含む、請求項１に記載のハイブリッド反応器。
【請求項５】
前記ターゲットチャンバは、実質的に線状である長いターゲット経路を画定する、請求項１に記載のハイブリッド反応器。
【請求項６】
前記長いターゲット経路の少なくとも一部内で、前記イオンビームを平行にする磁場を画定するように位置付けられる、少なくとも１つの磁石をさらに備える、請求項５に記載のハイブリッド反応器。
【請求項７】
前記ターゲットチャンバは、実質的に螺旋状である長いターゲット経路を画定する、請求項１に記載のハイブリッド反応器。
【請求項８】
前記イオンビームを前記螺旋状経路に沿って方向付ける磁場を画定するように位置付けられる、少なくとも１つの磁石をさらに含む、請求項７に記載のハイブリッド反応器。
【請求項９】
前記イオン源および前記ターゲットチャンバは、ともに、複数の核融合炉のうちの１つを少なくとも部分的に画定する、請求項１に記載のハイブリッド反応器。
【請求項１０】
前記複数の核融合炉の各々の前記ターゲットチャンバは、円筒空間を実質的に包囲するように協働する、請求項９に記載のハイブリッド反応器。
【請求項１１】
前記放射化セルは、実質的に環状であり、前記円筒空間内に位置付けられる、請求項１０に記載のハイブリッド反応器。
【請求項１２】
前記放射化セルに近接して位置付けられ、前記核分裂反応を未臨界レベルで維持するように選択される減衰器をさらに備えている、請求項１に記載のハイブリッド反応器。
【請求項１３】
前記ターゲットチャンバに近接して位置付けられ、前記放射化セルに向かって中性子を反射させるように選択される反射器をさらに備えている、請求項１２に記載のハイブリッド反応器。
【請求項１４】
前記減衰器は、前記環状放射化セルの内側に位置付けられ、前記反射器は、前記複数のターゲットチャンバを実質的に包囲する、請求項１３に記載のハイブリッド反応器。
【請求項１５】
前記母材は、低濃縮２３５Ｕであり、前記医療用アイソトープは、９９Ｍｏである、請求項１に記載のハイブリッド反応器。
【請求項１６】
医療用アイソトープを産生するように動作可能なハイブリッド反応器であって、
空間を実質的に取り囲むターゲットチャンバ内に配置される長いターゲット経路を含む、融合部分であって、該ターゲットチャンバ内で中性子束を産生するように動作可能である、融合部分と、
該空間内に位置付けられ、核分裂反応中に、該中性子束の一部分と反応して、該医療用アイソトープを産生する母材を含む、放射化セルと
を備える、ハイブリッド反応器。
【請求項１７】
前記核融合炉は、ガスからイオンビームを産生するように動作可能である、ＲＦアンテナを含む、請求項１６に記載のハイブリッド反応器。
【請求項１８】
前記イオンビームを受信し、前記ターゲット経路に向かって加速させるように位置付けられる加速器をさらに備え、該ターゲット経路は、ターゲット材料を含む、請求項１７に記載のハイブリッド反応器。
【請求項１９】
前記ガスは、ジュウテリウムおよびトリチウムのうちの一方を含み、前記ターゲット材料は、ジュウテリウムおよびトリチウムのうちの他方を含む、請求項１８に記載のハイブリッド反応器。
【請求項２０】
前記ターゲット経路は、実質的に線状である、請求項１６に記載のハイブリッド反応器。
【請求項２１】
前記ターゲット経路の少なくとも一部分内で、イオンビームを平行にする磁場を画定するように位置付けられる、少なくとも１つの磁石をさらに備える、請求項２０に記載のハイブリッド反応器。
【請求項２２】
前記ターゲット経路は、実質的に螺旋状である、請求項１６に記載のハイブリッド反応器。
【請求項２３】
前記螺旋状ターゲット経路に沿って前記イオンビームを方向付ける磁場を画定するように位置付けられる、少なくとも１つの磁石をさらに備える、請求項２２に記載のハイブリッド反応器。
【請求項２４】
前記放射化セル内に位置付けられ、前記核分裂反応を未臨界レベルで維持するように選択される減衰器をさらに備えている、請求項１６に記載のハイブリッド反応器。
【請求項２５】
前記ターゲットチャンバの外側に位置付けられ、前記空間に向かって前記中性子束の一部分を反射させるように配列される反射器をさらに備えている、請求項２４に記載のハイブリッド反応器。
【請求項２６】
前記核融合炉は、複数の核融合炉のうちの１つであり、各核融合炉は、前記空間の一部分を実質的に取り囲む、ターゲット経路を含む、請求項２５に記載のハイブリッド反応器。
【請求項２７】
前記放射化セルは、実質的に環状である、請求項２６に記載のハイブリッド反応器。
【請求項２８】
前記減衰器は、前記環状放射化セルの内側に位置付けられ、前記反射器は、前記複数のターゲット経路を実質的に包囲する、請求項２７に記載のハイブリッド反応器。
【請求項２９】
前記母材は、低濃縮２３５Ｕであり、前記医療用アイソトープは、９９Ｍｏである、請求項１６に記載のハイブリッド反応器。
【請求項３０】
医療用アイソトープを産生する方法であって、
イオンビームを産生するようにガスを励起することと、
該イオンビームを加速させることと、
該加速されたイオンビームを、ターゲットガスを含む長いターゲット経路に通過させることであって、該ターゲットガスおよび該イオンは、核融合反応を通して反応し、中性子を産生する、ことと、
該長いターゲット経路に隣接する放射化チャンバ内に母材を位置付けることと、
該医療用アイソトープを産生するように、該中性子の一部分と該母材とを反応させることと
を含む、方法。
【請求項３１】
ＲＦ放射は、前記ガスを励起する、請求項３０に記載の方法。
【請求項３２】
前記ガスは、ジュウテリウムおよびトリチウムのうちの一方を含み、前記ターゲットガスは、ジュウテリウムおよびトリチウムのうちの他方を含む、請求項３０に記載の方法。
【請求項３３】
前記医療用アイソトープを産生するように、前記中性子の一部分と前記母材との間の核分裂反応を維持することと、
前記放射化チャンバ内の該核分裂反応を強化するように、該中性子の一部分を熱中性子に変換することと
をさらに含む、請求項３０に記載の方法。
【請求項３４】
前記熱中性子の一部分および前記母材を反応させることによって、追加の医療用アイソトープを産生することをさらに含む、請求項３３に記載の方法。
【請求項３５】
前記母材は、低濃縮２３５Ｕであり、前記医療用アイソトープは、９９Ｍｏである、請求項３０に記載の方法。
【請求項３６】
医療用アイソトープを産生する方法であって、
イオンビームを産生するようにガスを励起することと、
該イオンビームを加速させることと、
該加速されたイオンビームを、ターゲットガスを含む実質的に線形のターゲット経路に通過させることであって、該ターゲットガスおよび該イオンは、核融合反応を介して遊離中性子へと反応させることと、
該ターゲット経路に隣接する放射化チャンバ内に母材を位置付けることと、
核分裂性物質を使用せずに、該医療用アイソトープを産生するように該遊離中性子および該母材を反応させることと
を含む、方法。
【請求項３７】
前記イオンビームを平行にして分散を阻止するように配向される、磁場を確立することをさらに含む、請求項３６に記載の方法。
【請求項３８】
前記ガスは、ジュウテリウムおよびトリチウムのうちの一方を含み、前記ターゲットガスは、ジュウテリウムおよびトリチウムのうちの他方を含む、請求項３６に記載の方法。
【請求項３９】
前記遊離中性子の一部を熱中性子に変換することと、該熱中性子の一部および前記母材を反応させることによって、追加の医療用アイソトープを産生することとをさらに含む、請求項３６に記載の方法。
【請求項４０】
前記母材は、９８Ｍｏを含み、前記医療用アイソトープは、９９Ｍｏである、請求項３６に記載の方法。
【請求項４１】
前記核分裂反応は、未臨界レベルで維持される、請求項１に記載のハイブリッド反応器。
【請求項４２】
前記放射化セルおよび前記反射器を実質的に包囲する減速材をさらに備えている、請求項１３に記載のハイブリッド反応器。
【請求項４３】
前記母材は、水溶液中にある、請求項１に記載のハイブリッド反応器。
【請求項４４】
前記放射化セルおよび前記反射器を実質的に包囲する減速材をさらに備えている、請求項２５に記載のハイブリッド反応器。
【請求項４５】
前記母材は、水溶液中にある、請求項１６に記載のハイブリッド反応器。
【請求項４６】
前記中性子の一部分を、前記長いターゲット経路の半径方向外向きに位置付けられる反射器で反射させることをさらに含む、請求項３０に記載の方法。
【請求項４７】
前記放射化チャンバに隣接して減衰器を位置付けることをさらに含む、請求項３３に記載の方法。
【請求項４８】
前記母材は、水溶液中にある、請求項３０に記載の方法。
【請求項４９】
前記遊離中性子の一部を、前記ターゲット経路の半径方向外向きに位置付けられる反射器で反射させることをさらに含む、請求項３６に記載の方法。
【請求項５０】
前記母材は、水溶液中にある、請求項３６に記載の方法。
【請求項５１】
医療用アイソトープを産生するように動作可能なハイブリッド反応器であって、
ガスからイオンビームを産生するように動作可能なイオン源と、
中性子を産生するように該イオンビームと相互作用するターゲットを含む、ターゲットチャンバと、
該ターゲットチャンバに近接して位置付けられ、該医療用アイソトープを産生するように該中性子と相互作用する母材を含む水溶液を含む、放射化セルと
を備える、ハイブリッド反応器。
【請求項５２】
医療用アイソトープを産生する方法であって、
イオンビームを産生するようにガスを励起することと、
該イオンビームを加速させることと、
該加速されたイオンビームを、ターゲットガスを含むターゲット経路に通過させることであって、該ターゲットガスおよび該イオンが反応して、中性子を産生する、ことと、
該ターゲット経路に隣接する放射化チャンバ内に母材を含む水溶液を位置付けることと、
該医療用アイソトープを産生するように、該中性子の一部分と該母材とを反応させることと
を含む、方法。
【手続補正２】
【補正対象書類名】明細書
【補正対象項目名】０００１
【補正方法】変更
【補正の内容】
【０００１】
本出願は、２００９年５月１日に出願された国際出願第ＰＣＴ／ＵＳ２００９／０４２５８７号の国内段階出願であり、この国際出願はその全体が本明細書に参考として援用される。上記国際出願は、２００８年５月２日に出願された米国仮出願第６１／０５０，０９６号の利益を主張し、この米国仮出願は、その全体が、本明細書において完全に参考として援用される。
【手続補正３】
【補正対象書類名】明細書
【補正対象項目名】０００５
【補正方法】変更
【補正の内容】
【０００５】
（概要）
一実施形態において、本発明は、医療用アイソトープを産生するように動作可能である、ハイブリッド反応器を提供する。反応器は、ガスからイオンビームを産生するように動作可能であるイオン源と、中性子を産生するようにイオンビームと相互作用するターゲットを含むターゲットチャンバと、ターゲットチャンバに近接して位置付けられ、核分裂反応を介して医療用アイソトープを産生するように中性子と相互作用する母材を含む放射化セルとを含む。減衰器は、放射化セルに近接して位置付けられ、核分裂反応を未臨界レベルで維持するように選択され、反射器は、ターゲットチャンバに近接して位置付けられ、放射化セルに向かって中性子を反射させるように選択され、減速材は、放射化セル、減衰器、および反射器を実質的に包囲する。
【手続補正４】
【補正対象書類名】明細書
【補正対象項目名】０００６
【補正方法】変更
【補正の内容】
【０００６】
別の実施形態において、本発明は、医療用アイソトープを産生するように動作可能である、ハイブリッド反応器を提供する。反応器は、空間を実質的に包囲する長いターゲット経路を含む核融合部分を含む。核融合部分は、ターゲット経路内で中性子束を産生するように動作可能である。反射器は、長いターゲット経路を実質的に包囲し、空間に向かって中性子束の一部分を反射させるように配列される。放射化セルは、空間内に位置付けられ、核分裂反応中に、医療用アイソトープを産生するように中性子束の一部分と反応する母材を含む。減衰器は、放射化セル内に位置付けられ、核分裂反応を未臨界レベルで維持するように選択され、減速材は、放射化セル、減衰器、および反射器を実質的に包囲する。
【手続補正５】
【補正対象書類名】明細書
【補正対象項目名】０００９
【補正方法】変更
【補正の内容】
【０００９】
本発明の他の局面および実施形態は、詳細な説明および添付の図面を考慮することによって明らかとなるであろう。
例えば、本発明は以下の項目を提供する。
（項目１）
医療用アイソトープを産生するように動作可能なハイブリッド原子炉であって、
ガスからイオンビームを産生するように動作可能なイオン源と、
中性子を産生するように該イオンビームと相互作用するターゲットを含む、ターゲットチャンバと、
該ターゲットチャンバに近接して位置付けられ、核分裂反応を介して該医療用アイソトープを産生するように該中性子と相互作用する母材を含む、放射化セルと、
該放射化セルに近接して位置付けられ、該核分裂反応を未臨界レベルで維持するように選択される、減衰器と、
該ターゲットチャンバに近接して位置付けられ、該放射化セルに向かって中性子を反射させるように選択される、反射器と、
該放射化セル、該減衰器、および該反射器を実質的に包囲する、減速材と
を備える、ハイブリッド原子炉。
（項目２）
ＲＦ共鳴は、上記イオンビームを産生するために使用される、項目１に記載のハイブリッド原子炉。
（項目３）
上記イオン源と上記ターゲットチャンバとの間に位置付けられ、上記イオンビームの上記イオンを加速するように動作可能である、加速器をさらに備える、項目１に記載のハイブリッド原子炉。
（項目４）
上記ガスは、ジュウテリウムおよびトリチウムのうちの一方を含み、上記ターゲットは、ジュウテリウムおよびトリチウムのうちの他方を含む、項目１に記載のハイブリッド原子炉。
（項目５）
上記ターゲットチャンバは、実質的に線状である長いターゲット経路を画定する、項目１に記載のハイブリッド原子炉。
（項目６）
上記長いターゲット経路の少なくとも一部内で、上記イオンビームを平行にする磁場を画定するように位置付けられる、少なくとも１つの磁石をさらに備える、項目５に記載のハイブリッド原子炉。
（項目７）
上記ターゲットチャンバは、実質的に螺旋状である長いターゲット経路を画定する、項目１に記載のハイブリッド原子炉。
（項目８）
上記イオンビームを上記螺旋状経路に沿って方向付ける磁場を画定するように位置付けられる、少なくとも１つの磁石をさらに含む、項目７に記載のハイブリッド原子炉。
（項目９）
上記イオン源および上記ターゲットチャンバは、ともに、複数の核融合炉のうちの１つを少なくとも部分的に画定する、項目１に記載のハイブリッド原子炉。
（項目１０）
上記複数の核融合炉の各々の上記ターゲットチャンバは、円筒空間を実質的に包囲するように協働する、項目９に記載のハイブリッド原子炉。
（項目１１）
上記放射化セルは、実質的に環状であり、上記円筒空間内に位置付けられる、項目１０に記載のハイブリッド原子炉。
（項目１２）
上記減衰器は、上記環状放射化セルの内側に位置付けられ、上記反射器は、上記複数のターゲットチャンバを実質的に包囲する、項目１１に記載のハイブリッド原子炉。
（項目１３）
上記母材は、低濃縮２３５Ｕであり、上記医療用アイソトープは、９９Ｍｏである、項目１に記載のハイブリッド原子炉。
（項目１４）
医療用アイソトープを産生するように動作可能なハイブリッド原子炉であって、
空間を実質的に取り囲むターゲットチャンバ内に配置される長いターゲット経路を含む、融合部分であって、該ターゲットチャンバ内で中性子束を産生するように動作可能である、融合部分と、
該ターゲットチャンバの外側に位置付けられ、該空間に向かって該中性子束の一部分を反射させるように配列される、反射器と、
該空間内に位置付けられ、核分裂反応中に、該中性子束の一部分と反応して、該医療用アイソトープを産生する母材を含む、放射化セルと、
該放射化セル内に位置付けられ、該核分裂反応を未臨界レベルで維持するように選択される、減衰器と、
該放射化セル、該減衰器、および該反射器を実質的に包囲する、減速材と
を備える、ハイブリッド原子炉。
（項目１５）
上記核融合炉は、ガスからイオンビームを産生するように動作可能である、ＲＦアンテナを含む、項目１４に記載のハイブリッド原子炉。
（項目１６）
上記イオンビームを受信し、上記ターゲット経路に向かって加速させるように位置付けられる加速器をさらに備え、該ターゲット経路は、ターゲット材料を含む、項目１５に記載のハイブリッド原子炉。
（項目１７）
上記ガスは、ジュウテリウムおよびトリチウムのうちの一方を含み、上記ターゲット材料は、ジュウテリウムおよびトリチウムのうちの他方を含む、項目１６に記載のハイブリッド原子炉。
（項目１８）
上記ターゲット経路は、実質的に線状である、項目１４に記載のハイブリッド原子炉。
（項目１９）
上記ターゲット経路の少なくとも一部分内で、イオンビームを平行にする磁場を画定するように位置付けられる、少なくとも１つの磁石をさらに備える、項目１８に記載のハイブリッド原子炉。
（項目２０）
上記ターゲット経路は、実質的に螺旋状である、項目１４に記載のハイブリッド原子炉。
（項目２１）
上記螺旋状ターゲット経路に沿って上記イオンビームを方向付ける磁場を画定するように位置付けられる、少なくとも１つの磁石をさらに備える、項目２０に記載のハイブリッド原子炉。
（項目２２）
上記核融合炉は、複数の核融合炉のうちの１つであり、各核融合炉は、上記空間の一部分を実質的に取り囲む、ターゲット経路を含む、項目１４に記載のハイブリッド原子炉。
（項目２３）
上記放射化セルは、実質的に環状である、項目２２に記載のハイブリッド原子炉。
（項目２４）
上記減衰器は、上記環状放射化セルの内側に位置付けられ、上記反射器は、上記複数のターゲット経路を実質的に包囲する、項目２３に記載のハイブリッド原子炉。
（項目２５）
上記母材は、低濃縮２３５Ｕであり、上記医療用アイソトープは、９９Ｍｏである、項目１４に記載のハイブリッド原子炉。
（項目２６）
医療用アイソトープを産生する方法であって、
イオンビームを産生するようにガスを励起することと、
該イオンビームを加速させることと、
該加速されたイオンビームを、ターゲットガスを含む長いターゲット経路に通過させることであって、該ターゲットガスおよび該イオンは、核融合反応を通して反応し、中性子を産生する、ことと、
該中性子の一部分を、該長いターゲット経路の半径方向外向きに位置付けられる反射器で反射させることと、
該長いターゲット経路に隣接する活性化チャンバ内に母材を位置付けることと、
該医療用アイソトープを産生するように、該中性子の一部分と該母材との間の核分裂反応を維持することと、
該活性化チャンバに隣接して減衰器を位置付けることと、
該放射化チャンバ内の該核分裂反応を強化するように、該減衰器内で該中性子の一部分を熱中性子に変換することと
を含む、方法。
（項目２７）
ＲＦ放射は、上記ガスを励起する、項目２６に記載の方法。
（項目２８）
上記ガスは、ジュウテリウムおよびトリチウムのうちの一方を含み、上記ターゲットガスは、ジュウテリウムおよびトリチウムのうちの他方を含む、項目２６に記載の方法。
（項目２９）
上記熱中性子の一部分および上記母材を反応させることによって、追加の医療用アイソトープを産生することをさらに含む、項目２６に記載の方法。
（項目３０）
上記母材は、低濃縮２３５Ｕであり、上記医療用アイソトープは、９９Ｍｏである、項目２６に記載の方法。
（項目３１）
医療用アイソトープを産生する方法であって、
イオンビームを産生するようにガスを励起することと、
該イオンビームを加速させることと、
該加速されたイオンビームを、ターゲットガスを含む実質的に線形のターゲット経路に通過させることであって、該ターゲットガスおよび該イオンは、核融合反応を介して遊離中性子へと反応させる、ことと、
該遊離中性子の一部を、該長いターゲット経路の半径方向外向きに位置付けられる反射器で反射させることと、
該ターゲット経路に隣接する活性化チャンバ内に母材を位置付けることと、
核分裂性物質を使用せずに、該医療用アイソトープを産生するように該遊離中性子および該母材を反応させることと
を含む、方法。
（項目３２）
上記イオンビームを平行にして分散を阻止するように配向される、磁場を確立することをさらに含む、項目３１に記載の方法。
（項目３３）
上記ガスは、ジュウテリウムおよびトリチウムのうちの一方を含み、上記ターゲットガスは、ジュウテリウムおよびトリチウムのうちの他方を含む、項目３１に記載の方法。
（項目３４）
上記遊離中性子の一部を熱中性子に変換することと、上記熱中性子の一部および上記母材を反応させることによって、追加の医療用アイソトープを産生することとをさらに含む、項目３１に記載の方法。
（項目３５）
上記母材は、９８Ｍｏを含み、上記医療用アイソトープは、９９Ｍｏである、項目３１に記載の方法。
【手続補正６】
【補正対象書類名】明細書
【補正対象項目名】００１８
【補正方法】変更
【補正の内容】
【００１８】
従来型の陽子または中性子源に固有の短所を考慮して、核融合部分１０、１１は、医療用アイソトープの産生に利用され得る、新規の高エネルギー陽子または中性子源を提供する（本明細書ではイオン源として総称される場合があるが、粒子源としても考慮される）。各核融合部分１０、１１は、少量のエネルギーを使用して、核融合反応を形成し、次に、アイソトープ産生に使用され得る、高エネルギー陽子または中性子を形成する。少量のエネルギーを使用することは、装置を以前の従来装置よりも小型にすることを可能にし得る。
【手続補正７】
【補正対象書類名】明細書
【補正対象項目名】００１９
【補正方法】変更
【補正の内容】
【００１９】
各核融合部分１０、１１は、１８Ｆ、１１Ｃ、１５Ｏ、１３Ｎ、６３Ｚｎ、１２４Ｉおよび他にも多数含むが、これらに限定されない、他のアイソトープを生成するように使用され得る、陽子を好適に生成する。燃料の種類を変更することによって、各核融合部分は、１３１Ｉ、１３３Ｘｅ、１１１Ｉｎ、１２５Ｉ、９９Ｍｏ（９９ｍＴｃに減衰する）、およびその他多数を含むが、これらに限定されない、アイソトープを生成するように使用され得る、中性子の高流束を生成するように使用されてもよい。したがって、各核融合部分１０、１１は、前述の陽子または中性子源よりも多くの利点を有する、医療用アイソトープ生成等に使用するための、新規の小型高エネルギー陽子または中性子源を提供する。
【手続補正８】
【補正対象書類名】明細書
【補正対象項目名】００４３
【補正方法】変更
【補正の内容】
【００４３】
【数２】
2011522226.tif 000001
式中、ｒは軌道半径（ｃｍ）であり、Ｅｉはイオンエネルギー（ｅＶ）であり、Ｂは磁場強度（ガウス）である。５００ｋｅＶのジュウテリウム光線および磁場強度７ｋＧの場合、軌道半径は約２０．６ｃｍであり、２５ｃｍ半径のチャンバの内部に好適に適合する。イオン中性化が起こり得る一方で、再イオン化が起こる速度ははるかに速く、粒子はその時間の大部分をイオンとして過ごす。
【手続補正９】
【補正対象書類名】明細書
【補正対象項目名】００７４
【補正方法】変更
【補正の内容】
【００７４】
ターゲットガスを通過している間に、光線は核反応を生じ、１ｘ１０１１および最大５ｘ１０１１陽子／秒を産生する。これらの陽子は、アイソトープ抽出システムの管の壁を透過し、好適な核器械類で検出される。
【手続補正１０】
【補正対象書類名】明細書
【補正対象項目名】００８３
【補正方法】変更
【補正の内容】
【００８３】
この構成からの中性子産生速度は、約１０１５ｎ／ｓであると推定される（５００ｋＶおよび１００ｍＡで動作している単一の核融合部分１０、１１の推定源強度は、１０１４ｎ／ｓであり、例示される構成のこれらの装置は１０台ある）。放射化セル４１０における総容積流束は、０．００９４の不確実性を伴って、２．３５＊１０１２ｎ／ｃｍ２／ｓであると計算され、熱流束（０．１ｅＶ未満）は、０．０１２２の不確実性を伴って、１．３４＊１０１２ｎ／ｃｍ２／ｓであった。この中性子率は、論じられるように、ＬＥＵの存在下で実質的に向上する。